【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
回転する機械コンポーネントと回転しない機械コンポーネントとの間の流体接続を提供するための回転継手であって、当該回転継手は：
回転するシールキャリアを有し、該回転するシールキャリアは前記回転する機械コンポーネントへの接続に適合しており、該回転するシールキャリアは自体に接続された回転するシール部材を持っており；
回転しないシールキャリアを有し、該回転しないシールキャリアは概して円柱形状を持っており、該回転しないシールキャリアは自体に接続された回転しないシール部材を持っており；
ピストン部分を有し、該ピストン部分は、前記回転しないシール部材に近接する前記回転しないシールキャリアの端部に接続されており、該ピストン部分は、前記回転しないシールキャリアと比べて拡大された直径を持った概して円柱形の形状を持っており；
流量制限リングを有し、該流量制限リングは、概して環状の形状を持っており、前記ピストン部分の周りに配置されており；
ハウジングを有し、該ハウジングは前記回転しない機械コンポーネントに接続され、かつ、該ハウジングにはキャリア内腔が形成され、該キャリア内腔内には前記回転しないシールキャリアが摺動可能にかつシール可能に配置され、それによって、該回転しないシールキャリアが該ハウジングに対して伸び出した位置にある場合には、前記回転しないシールが前記回転するシールに係合して摺動面シールを形成するようになっており、該ハウジングには、さらに、ピストン内腔が形成されており、該ピストン内腔は、その内部に、前記ピストン部分と前記流量制限リングとを摺動可能に受け入れており、それによって、前記流量制限リングの外径と前記ピストン内腔の内径との間に、ギャップが半径方向に形成されるようになっており；
区間分けされた媒質チャンネルを有し、該区間分けされた媒質チャンネルは、前記回転するシールキャリアの中および回転しないシールキャリアの中に形成されており、該区間分けされた媒質チャンネルは、前記摺動面シールが存在している間に、前記回転する機械コンポーネントと回転しない機械コンポーネントとの間で流体媒質を移送する流体通路を定めるように適合しており、該区間分けされた媒質チャンネルは、さらに、前記回転するシール部材と回転しないシール部材とが係合していない場合に、大気へと通じるために開くように適合しており；
前記ピストン部分の拡大された直径が、正味の空圧面または液圧面を提供し、該空圧面または液圧面が、前記ハウジングの前記ピストン内腔内に存在する正または負の気圧となっている流体による作用を受け得る、
前記回転継手。
【請求項２】
上記区間分けされた媒質チャンネルが、上記回転する機械コンポーネントと回転しない機械コンポーネントとの間で媒質を移送する場合に、正の圧力下でまたは真空下で作動するように構成されている、請求項１記載の回転継手。
【請求項３】
さらに二次的シールを有し、該二次的シールは、上記ハウジングの上記キャリア内腔と上記回転しないシールキャリアとの間に配置されており、該二次的シールは、該キャリア内腔の内側表面と該回転しないシールキャリアの外部表面との間に摺動シールを提供し、該摺動シールは、上記区間分けされた媒質チャンネル内および上記ピストン内腔内に存在する異なる圧力の流体を隔離する、請求項１記載の回転継手。
【請求項４】
上記二次的シールが、上記ピストン内腔と、上記ハウジング内に配置された上記区間分けされた媒質チャンネルの入口開口との間で、軸方向に位置している、請求項３記載の回転継手。
【請求項５】
上記二次的シールが、Ｕカップシール、Ｏリングシール、および、リップシールからなる群から選択されるものである、請求項３記載の回転継手。
【請求項６】
さらに作動通路を有し、該作動通路は、上記ハウジング内に形成されており、かつ、上記ピストン内腔を、該ハウジング内に形成された空気作動ポートに流体的に相互接続しており、かつ、該作動通路は、選択的に構成された流体圧力の供給源または流体圧力のシンクに接続されている、請求項１記載の回転継手。
【請求項７】
上記空気作動ポートに空気の流れが供給される場合に、上記空気作動通路を通って上記ピストン内腔へ入る該空気の流れにおける流れの運動量が、該ピストン内腔を満たし、所定の速度にて上記半径方向のギャップを通って上記流量制限リングを通過して漏れ、かつ、上記ピストン部分および該制限リングの後方側を動的に押し、一部が、上記回転しないシールキャリアを推し進めて上記ハウジングに対して伸び出す方向に移動させるように構成されている、請求項６記載の回転継手。
【請求項８】
上記空気作動ポートに真空が加えられる場合に、周囲環境から上記ピストン内腔に入る空気の流れにおける流れの運動量が、所定の速度にて上記半径方向のギャップを通って上記流量制限リングを通過して漏れ、かつ、上記ピストン部分および該制限リングの前方側を動的に押し、一部が、上記回転しないシールキャリアを押し進めて上記ハウジングに対して後退する方向に移動させるように構成されている、請求項６記載の回転継手。
【請求項９】
さらに弾性要素を有し、該弾性要素は、上記回転しないシールキャリアと上記ハウジングとの間に配置されており、該弾性要素は、該回転しないシールキャリアを該ハウジングに対して引っ込める方向へと推し進める方向に、弾性力を与えるように配置されている、請求項１記載の回転継手。
【請求項１０】
上記キャリア内腔の中心線が水平以外の角度のついた状態となっている姿勢にて、当該回転継手が据え付けられる場合に、上記弾性要素によって与えられる弾性力が、上記回転しないシールキャリアと上記回転しないシール部材との重量に打ち勝つのに十分であるように、該弾性力が構成されている、請求項９記載の回転継手。
【請求項１１】
上記制限リングが、所要の寸法に形成可能な材料で作られており、該材料は、上記ピストン内腔の壁部と相互接触する場合に比較的低い摩擦を持ち、かつ、上記ピストン部分に対する作用流体として空気が使用されるとき、概しては自己潤滑性である、請求項１記載の回転継手。
【請求項１２】
上記キャリア内腔および上記ピストン内腔は、上記ハウジング内で段が付けられた内腔として形成され、該キャリア内腔は、上記回転しないシールキャリアに対して隙間を持ち、該隙間によって、上記回転しないシールキャリアと前記キャリア内腔との間に軸方向に角度をなすズレが生じることが可能になっており、それによって、上記回転する機械コンポーネントと上記回転しない機械コンポーネントとの間の操作上のまたは組立てのズレ状態が受け入れられるようになっている、請求項１記載の回転継手。
【請求項１３】
回転するコンポーネントと回転しないコンポーネントとを含む機械に使用するための回転継手であって、当該回転継手は、前記の回転しない機械コンポーネントと回転する機械コンポーネントとの間に延びる区間分けされた媒質チャンネルを、流体的に接続するように配置され、当該回転継手は：
回転するシールキャリアを有し、該回転するシールキャリアは、前記回転する機械コンポーネントに接続可能であって、該回転するシールキャリアは自体に接続された回転するシール部材を持っており；
回転しないシールキャリアを有し、該回転しないシールキャリアは、前記回転しない機械コンポーネントに接続可能であって、該回転しないシールキャリアは自体に接続された回転しないシール部材を持っており；
ピストン部分を有し、該ピストン部分は、前記回転しない機械コンポーネントに近接する前記回転しないシールキャリアの端部に形成されており、該ピストン部分は、前記回転しないシールキャリアと比べて拡大された外形寸法を持った概して円柱形の形状を持っており；
ハウジングを有し、該ハウジングにはキャリア内腔が形成され、該キャリア内腔内には前記回転しないシールキャリアが摺動可能にかつシール可能に配置され、それによって、該回転しないシールキャリアが該ハウジングに対して伸び出した位置にある場合には、前記回転しないシールが前記回転するシールに係合して摺動面シールを形成するようになっており、該ハウジングには、さらに、ピストン内腔が形成されており、該ピストン内腔は、その内部に、前記ピストン部分を摺動可能に受け入れており、それによって、前記ピストン部分の外径と前記ピストン内腔の内径との間に、ギャップが半径方向に形成されるようになっており；
区間分けされた媒質チャンネルを有し、該区間分けされた媒質チャンネルは、前記回転するシールキャリアの中および回転しないシールキャリアの中に形成されており、該区間分けされた媒質チャンネルは、前記摺動面シールが存在している間に、前記回転する機械コンポーネントと回転しない機械コンポーネントとの間で流体媒質を移送する流体通路を定めるように適合しており、該区間分けされた媒質チャンネルは、さらに、前記回転するシール部材と回転しないシール部材とが係合していない場合に、大気へと通じるために開くように適合しており；
前記ピストン部分の拡大された外形寸法が、正味の空圧面または液圧面を提供し、該空圧面または液圧面が、前記ハウジングの前記ピストン内腔内に存在する正または負の気圧となっている流体による作用を受け得；かつ、
正のゲージ圧の流体が上記ピストン内腔に供給された場合に、該ピストン内腔に入る流体の流れの運動量が該ピストン内腔を満たし、上記半径方向のギャップを通って上記ピストン部分を通過するように所定の速度で漏れ、かつ、該ピストン部分の後方側を動的に押し、それによって、上記回転しないシールキャリアを上記ハウジングに対して伸び出す方向に移動させる、
前記回転継手。
【請求項１４】
さらに、流量制限リングを有し、該流量制限リングは、概して環状の形状を持っており、上記ピストン部分の周りに配置されており、上記ギャップが、該制限リングの外側部分と上記ピストン内腔の内側表面との間に設けられる、請求項１３記載の回転継手。
【請求項１５】
回転するコンポーネントと回転しないコンポーネントとを含む機械に使用するための回転継手であって、当該回転継手は、前記の回転しない機械コンポーネントと回転する機械コンポーネントとの間に延びる区間分けされた媒質チャンネルを、流体的に接続するように配置され、当該回転継手は：
回転するシールキャリアを有し、該回転するシールキャリアは、前記回転する機械コンポーネントに接続可能であって、該回転するシールキャリアは自体に接続された回転するシール部材を持っており；
回転しないシールキャリアを有し、該回転しないシールキャリアは、前記回転しない機械コンポーネントに接続可能であって、該回転しないシールキャリアは自体に接続された回転しないシール部材を持っており；
ピストン部分を有し、該ピストン部分は、前記回転しない機械コンポーネントに近接する前記回転しないシールキャリアの端部に形成されており、該ピストン部分は、前記回転しないシールキャリアと比べて拡大された外形寸法を持った概して円柱形の形状を持っており；
ハウジングを有し、該ハウジングにはキャリア内腔が形成され、該キャリア内腔内には前記回転しないシールキャリアが摺動可能にかつシール可能に配置され、それによって、該回転しないシールキャリアが該ハウジングに対して伸び出した位置にある場合には、前記回転しないシールが前記回転するシールに係合して摺動面シールを形成するようになっており、該ハウジングには、さらに、ピストン内腔が形成されており、該ピストン内腔は、その内部に、前記ピストン部分を摺動可能に受け入れており、それによって、前記ピストン部分の外径と前記ピストン内腔の内径との間に、ギャップが半径方向に形成されるようになっており；
区間分けされた媒質チャンネルを有し、該区間分けされた媒質チャンネルは、前記回転するシールキャリアの中および回転しないシールキャリアの中に形成されており、該区間分けされた媒質チャンネルは、前記摺動面シールが存在している間に、前記回転する機械コンポーネントと回転しない機械コンポーネントとの間で流体媒質を移送する流体通路を定めるように適合しており、該区間分けされた媒質チャンネルは、さらに、前記回転するシール部材と回転しないシール部材とが係合していない場合に、大気へと通じるために開くように適合しており；
前記ピストン部分の拡大された外形寸法が、正味の空圧面または液圧面を提供し、該空圧面または液圧面が、前記ハウジングの前記ピストン内腔内に存在する正または負の気圧となっている流体による作用を受け得；かつ、
負のゲージ圧が上記ピストン内腔に導入された場合に、周囲環境から該ピストン内腔に入る空気の流れにおける流れの運動量が、所定の速度にて上記半径方向のギャップを通って漏れ、かつ、上記ピストン部分の前方側を動的に押すように構成されており、それによって、上記回転しないシールキャリアを上記ハウジングに対して引っ込める方向に移動させる、
前記回転継手。
【請求項１６】
回転するコンポーネントと回転しないコンポーネントとを持つ機械であって、
該回転するコンポーネントと該回転しないコンポーネントが、請求項１３に記載の回転継手を形成している、前記機械。
【請求項１７】
さらに、流量制限リングを有し、該流量制限リングは、概して環状の形状を持っており、上記ピストン部分の周りに配置されており、上記ギャップが、該制限リングの外側部分と上記ピストン内腔の内側表面との間に設けられる、請求項１５記載の回転継手。